(57)【特許請求の範囲】
【請求項１】
複数の棚板から構成される商品載置棚と、
該商品載置棚より下側に配置され、空気を吸い込む吸込口と、
前記商品載置棚より上側に配置され、下方に向けて空気を吹き出す吹出口と
を有し、
該吹出口から吹き出した空気を前記吸込口から吸い込むことによって、前記商品載置棚の前面側に、空気の流れる層を形成するショーケースにおいて、
前記棚板の前面側端部と一定の距離を開けるとともに該棚板の上面よりも上端部が上方に突出するよう設けられ、かつ前記棚板の上面を沿い前記商品載置棚の前面側に向いた空気の流れを下方に誘導するガイド板を設けたことを特徴とするショーケース。
【請求項２】
前記棚板の前面側の端部に、下方に向けて空気を吹き出す棚板側吹出口を設けたことを特徴とする請求項１に記載のショーケース。
【請求項３】
前記ガイド板に向けて、前記棚板の上面を沿うように冷気を吹き出す背面側冷気吹出し口を備えたことを特徴とする請求項１又は２に記載のショーケース。
【請求項４】
前記ガイド板は、前記棚板の上面を沿い前記商品載置棚の前面側に向いた空気の流れを下方に誘導する予め設定された通常位置と、該通常位置から商品の取り出し領域を広げる方向に移動した商品取り出し位置との間を移動可能に配設されているとともに、前記商品取り出し位置から前記通常位置に移動する方向に付勢されていることを特徴とする請求項１〜３の何れか１つに記載のショーケース。
【請求項５】
前記ガイド板は、棚板の前面側端面に沿って、該棚板と所定の間隔を持って配設されているとともに、該棚板と前記ガイド板の交差角度を変える方向に回転可能に配設されていることを特徴とする請求項１〜３の何れか１つに記載のショーケース。
【請求項６】
前記ガイド板は、前記棚板の上面を沿い前記商品載置棚の前面側に向いた空気の流れを下方に誘導する予め設定された通常状態から、商品の取り出し領域を広げる方向に弾性変形可能に、前記ガイド板の少なくとも上部に弾性部材を設けたことを特徴とする請求項１〜３の何れか１つに記載のショーケース。
【請求項７】
前記商品載置棚の前面側に向けて、前記棚板の下面を沿うように冷気を吹き出す背面側上部冷気吹出し口を備え、
該背面側上部冷気吹出し口から吹き出された前記棚板の下面を沿い前記商品載置棚の前面側に向いた冷気の流れを、該棚板の一つ下の棚板に対応した前記ガイド板に向けて誘導する斜風板を設けたことを特徴とする請求項１〜６の何れか１つに記載のショーケース。
【請求項８】
前記ガイド板の下端部にシート状のカーテンを垂下するように設けたことを特徴とする請求項１〜７の何れか１つに記載のショーケース。
【請求項９】
複数の棚板から構成される商品載置棚と、
該商品載置棚より下側に配置され、空気を吸い込む吸込口と、
前記商品載置棚より上側に配置され、下方に向けて空気を吹き出す吹出口と
を有し、
該吹出口から吹き出した空気を前記吸込口から吸い込むことによって、前記商品載置棚の前面側に、空気の流れる層を形成するショーケースにおいて、
前記棚板の前面側に該棚板の前面側端部と一定の距離を開けるように配置され、前記吹出口から吹き出した空気を前記吸込口に導くためのガイド板を備え、
前記ガイド板は、前記棚板の上面よりも上端部が上方に突出するよう設けられ、かつ前記棚板の上面を沿い前記商品載置棚の前面側に向いた空気の流れを下方に誘導することを特徴とするショーケース。
【発明の詳細な説明】
【技術分野】
【０００１】
本発明は、ショーケースに関するものである。
【背景技術】
【０００２】
従来、ショーケースの前面開口にエアカーテンを形成して、ショーケースの商品載置棚に設置された商品を保冷するショーケースがある（例えば、特許文献１参照）。
【０００３】
このショーケースは、前面上部に設けられた冷気吹出口から下方に向かって冷気を吹き出し商品載置棚前面にエアカーテンを形成している。また、ショーケースの背面側から、商品陳列棚内に向かって、冷気を吹き出すようにしている。更に、商品載置棚の下面にダクトを形成し、前記商品載置棚の背面側から吹き出す冷気を、商品載置棚の前面から下方に向かって吹き出すようにして部分的にエアカーテンを形成している。
【０００４】
【特許文献１】特開平１０−３００３１５号公報
【発明の概要】
【発明が解決しようとする課題】
【０００５】
しかしながら、このような従来のショーケースでは、エアカーテンが商品載置棚の先端部に衝突した際に、商品載置棚の背面側から前面側に向かう流れが生じ、商品載置棚の前面側から冷気漏れが発生するという問題があった。尚、商品載置棚の先端部にエアカーテンが衝突しないように冷気吹出口及び商品載置棚を配置すれば、上述のような問題は生じないが、商品の収容数が減少するという問題があった。
本発明は、上記実情に鑑みて、冷気漏れを抑制し、効率的に庫内の温度を保つことができるショーケースを提供することを目的とする。
【課題を解決するための手段】
【０００６】
上記の目的を達成するために、本発明の請求項１に係るショーケースは、複数の棚板から構成される商品載置棚と、該商品載置棚より下側に配置され、空気を吸い込む吸込口と、前記商品載置棚より上側に配置され、下方に向けて空気を吹き出す吹出口とを有し、該吹出口から吹き出した空気を前記吸込口から吸い込むことによって、前記商品載置棚の前面側に、空気の流れる層を形成するショーケースにおいて、前記棚板の前面側端部と一定の距離を開けるとともに該棚板の上面よりも上端部が上方に突出するよう設けられ、かつ前記棚板の上面を沿い前記商品載置棚の前面側に向いた空気の流れを下方に誘導するガイド板を設けたことを特徴とする。
【０００７】
また、本発明の請求項２に係るショーケースは、上記請求項１において、前記棚板の前面側の端部に、下方に向けて空気を吹き出す棚板側吹出口を設けたことを特徴とする。
【０００８】
また、本発明の請求項３に係るショーケースは、上記請求項１または２において、前記ガイド板に向けて、前記棚板の上面を沿うように冷気を吹き出す背面側冷気吹出し口を備えたことを特徴とする。
【０００９】
また、本発明の請求項４に係るショーケースは、上記請求項１，２又は３において、前記ガイド板は、前記棚板の上面を沿い前記商品載置棚の前面側に向いた空気の流れを下方に誘導する予め設定された通常位置と、該通常位置から商品の取り出し領域を広げる方向に移動した商品取り出し位置との間を移動可能に配設されているとともに、前記商品取り出し位置から前記通常位置に移動する方向に付勢されていることを特徴とする。
【００１０】
また、本発明の請求項５に係るショーケースは、上記請求項１，２又は３において、前記ガイド板は、棚板の前面側端面に沿って、該棚板と所定の間隔を持って配設されているとともに、該棚板と前記ガイド板の交差角度を変える方向に回転可能に配設されていることを特徴とする。
【００１１】
また、本発明の請求項６に係るショーケースは、上記請求項１，２又は３において、前記ガイド板は、前記棚板の上面を沿い前記商品載置棚の前面側に向いた空気の流れを下方に誘導する予め設定された通常状態から、商品の取り出し領域を広げる方向に弾性変形可能に、前記ガイド板の少なくとも上部に弾性部材を設けたことを特徴とする。
【００１２】
また、本発明の請求項７に係るショーケースは、上記請求項１〜６の何れか１つにおいて、前記商品載置棚の前面側に向けて、前記棚板の下面を沿うように冷気を吹き出す背面側上部冷気吹出し口を備え、該背面側上部冷気吹出し口から吹き出された前記棚板の下面を沿い前記商品載置棚の前面側に向いた冷気の流れを、該棚板の一つ下の棚板に対応した前記ガイド板に向けて誘導する斜風板を設けたことを特徴とする。
【００１３】
また、本発明の請求項８に係るショーケースは、上記請求項１〜７の何れか１つにおいて、前記ガイド板の下端部にシート状のカーテンを垂下するように設けたことを特徴とする。
【００１４】
また、本発明の請求項９に係るショーケースは、複数の棚板から構成される商品載置棚と、該商品載置棚より下側に配置され、空気を吸い込む吸込口と、前記商品載置棚より上側に配置され、下方に向けて空気を吹き出す吹出口とを有し、該吹出口から吹き出した空気を前記吸込口から吸い込むことによって、前記商品載置棚の前面側に、空気の流れる層を形成するショーケースにおいて、前記棚板の前面側に該棚板の前面側端部と一定の距離を開けるように配置され、前記吹出口から吹き出した空気を前記吸込口に導くためのガイド板を備え、前記ガイド板は、前記棚板の上面よりも上端部が上方に突出するよう設けられ、かつ前記棚板の上面を沿い前記商品載置棚の前面側に向いた空気の流れを下方に誘導することを特徴とする。
【発明の効果】
【００１５】
本発明にかかるショーケースは、前記棚板の上面を沿い前記商品載置棚の前面側に向いた流れを下方に誘導するガイド板を設けているので、吹出口から吹き出された空気が棚板の上面に衝突することにより、棚板の上面に沿うとともに商品載置棚の前面側に向いた流れが発生したとしても、その流れは、ガイド板によって商品載置棚の下方に誘導される。このようにして、商品載置棚の前面側に、吹出口から吹き出される空気の流れる層であるエアカーテンを効果的に形成することができる。
【図面の簡単な説明】
【００１６】
【図１】図１は、本発明の実施の形態１のショーケースを模式的に示す側断面図である。
【図２−１】図２−１は、同上のショーケースにおける商品載置棚の棚部分を示す平面図である。
【図２−２】図２−２は、同上の側面図である。
【図３】図３は、同上の部分拡大平面図である。
【図４】図４は、同上の部分拡大側面図である。
【図５】図５は、本発明の実施の形態１のショーケースの変形例を模式的に示す側断面図である。
【図６−１】図６−１は、実験で使用した従来の構造のショーケースを模式的に示す側断面図である。
【図６−２】図６−２は、実験で使用した本発明の構造を有するショーケースを模式的に示す側断面図である。
【図７】図７は、本発明の実施の形態１のショーケースの変形例を模式的に示す側断面図である。
【図８】図８は、本発明の実施の形態２のショーケースを模式的に示す側断面図である。
【図９】図９は、同上のショーケースの要部を模式的に示す側面図である。
【図１０】図１０は、同上のショーケースの要部を模式的に示す側面図である。
【図１１】図１１は、同上のショーケースにおける商品載置棚の棚部分を模式的に示す平面図である。
【図１２】図１２は、本発明の本実施の形態３のショーケースの要部を模式的に示す側面図である。
【図１３】図１３は、同上のショーケースの要部を模式的に示す側面図である。
【図１４】図１４は、同上のショーケースにおけるガイド板部分を模式的に示す斜視図である。
【図１５】図１５は、同上のショーケースにおけるガイド板部分を模式的に示す側面図である。
【図１６】図１６は、本発明の本実施の形態３の変形例のショーケースの要部を模式的に示す側面図である。
【図１７】図１７は、同上のショーケースの要部を模式的に示す側面図である。
【図１８】図１８は、同上のショーケースにおけるガイド板部分を模式的に示す側面図である。
【図１９】図１９は、本発明の実施の形態４のショーケースを模式的に示す側断面図である。
【図２０】図２０は、同上のショーケースにおける商品載置棚の棚部分を裏面側からみた状態を模式的に示す平面図である。
【図２１−１】図２１−１は、同上のショーケースと比較するショーケースにおける冷気の流れを説明するための模式図である。
【図２１−２】図２１−２は、同上のショーケースの冷気の流れを説明するための模式図である。
【図２２−１】図２２−１は、本発明の実施の形態５のショーケースの要部を模式的に示す側面図である。
【図２２−２】図２２−２は、同上のショーケースの要部を模式的に示す側面図である。
【図２３−１】図２３−１は、本発明の実施の形態５の変形例１のショーケースの要部を模式的に示す側面図である。
【図２３−２】図２３−２は、同上のショーケースの要部を模式的に示す側面図である。
【図２４−１】図２４−１は、本発明の実施の形態５の変形例２のショーケースの要部を模式的に示す側面図である。
【図２４−２】図２４−２は、同上のショーケースの要部を模式的に示す側面図である。
【図２５−１】図２５−１は、実験で使用した本発明の構造を有するショーケースを模式的に示す側断面図である。
【図２５−２】図２５−２は、実験で使用した本発明の構造を有するショーケースを模式的に示す側断面図である。
【図２６】図２６は、本発明の実施の形態６のショーケースを模式的に示す側断面図である。
【図２７】図２７は、同上のショーケースにおけるガイド板とカーテンを示す正面図である。
【図２８】図２８は、本発明の実施の形態７のショーケースを模式的に示す側断面図である。
【図２９】図２９は、同上のショーケースの要部を示す側面図である。
【図３０】図３０は、同上のショーケースにおけるガイド板の支持構造を示す断面図である。
【図３１】図３１は、同上のショーケースにおける要部を示す平面図である。
【図３２】図３２は、同上のショーケースの要部を示す側面図である。
【発明を実施するための形態】
【００１７】
以下に添付図面を参照して、本発明に係るショーケースの好適な実施の形態を詳細に説明する。
【００１８】
（実施の形態１）
図１〜図４は、本発明にかかるショーケースの実施の形態を示す図である。ショーケース１は、ケース本体２を備えている。ケース本体２は、前面に開口２ａが形成された略直方体状の断熱筐体である。ケース本体２は、商品陳列室３と、空気循環手段４とを有する。
【００１９】
商品陳列室３は、ケース本体２内に画成され、開口２ａを通じて外部と連通されている。商品陳列室３は、開口２ａから商品が出し入れ可能となっている。商品陳列室３の天面は天板３１によって構成され、底面は底板３２によって構成され、側面は、図示しない側板によって構成されている。商品陳列室３の背面は、背面板３３によって構成され、前面は開口２ａとなっている。商品陳列室３内には、商品載置棚５が形成されている。
【００２０】
商品載置棚５は、商品陳列室３内に複数の棚板５１を上下方向に並べて形成されている。また、商品載置棚５の最下段の棚板は底板３２によって構成している。この棚板５１及び底板３２上に商品が載置されるようになっている。棚板５１は、平面視略矩形状に形成されている。棚板５１の内部には、空間が形成され、棚板ダクト５２となっている。
【００２１】
棚板ダクト５２は、商品載置棚５の背面側から同前面側にかけて配設されている。棚板ダクト５２は、商品載置棚５の背面側において、後述する背面側ダクト４１ｃと連通している。尚、商品載置棚５においては、ユーザが商品を取る側が前面側である。即ち、本実施の形態では、ケース本体２の開口２ａ側が、商品載置棚５の前面側である。
【００２２】
また、棚板ダクト５２の前面側先端は、下方に向けて開口され、棚板側吹出口５３となっている。棚板側吹出口５３は、下方に突出するように形成されている。棚板側吹出口５３は、棚板５１の前面（前側端面）に沿って形成されている。即ち、棚板側吹出口５３は、後述するガイド板６と略平行に形成されている。
【００２３】
棚板５１の前面側には、ガイド板６が設置されている。ガイド板６は、棚板５１の前面側端面の長手方向に沿って配置されている。即ち、ガイド板６は、商品載置棚５の左右方向に延設されている。ガイド板６の板状面は、棚板５１の前面側端面と対向している。棚板５１とガイド板６は、一定の距離を開けるように配置され、棚板５１とガイド板６との間にスリット状の空間であるガイドスリット６１が形成されている。また、ガイド板６は、棚板５１の上面より上方側に突出するように配置されている。ガイド板６は、ハット型金具７を使用して設置している。
【００２４】
このガイド板６によって、棚板５１の上面を沿って商品載置棚５の前面側に向かい、棚板５１の前面側端部から商品陳列室３外に漏れ出ようとする流れを下方に誘導する。即ち、棚板５１の前側端部から漏れ出ようとする流れが、ガイド板６に衝突し、その棚板５１より下方に流れるようにガイド板６が配置されている。また、このガイド板６は、後述する吹出口１１から吹き出す空気の流れを下方に誘導する。即ち、吹出口１１から吹き出す空気の流れが直接ガイド板６にあたり、その流れも下方に誘導するようになっている。
【００２５】
また、棚板５１の上面の前側には、商品転倒防止ガード５４が設置されている。この商品転倒防止ガード５４は、一対の柱部５４ａの間にワイヤー５４ｂを掛けまわした態様に形成されている。尚、本実施の形態においては、ガイド板６は、商品の値段などを表示するためのカードであるプライスカードを設置するためのプライスカード取付用レールを兼ねている。
【００２６】
空気循環手段４は、空気通路４１と、循環ファン４２と、冷却器４３とを有する。空気循環手段４は、エアカーテンＡを形成し、商品陳列室３内を冷却するものである。空気通路４１は、上部ダクト４１ａと、下部ダクト４１ｂと、背面側ダクト４１ｃとを有する。
【００２７】
上部ダクト４１ａは、商品陳列室３より上側に、商品陳列室３の背面側から前面側にかけて延在するように形成されている。上部ダクト４１ａの前面側において、下面に開口するように開口部が形成され、吹出口１１となっている。吹出口１１は、ケース本体２開口２ａの左右方向に延在するように形成されている。
【００２８】
下部ダクト４１ｂは、商品陳列室３より下側に、商品陳列室３の背面側から前面側にかけて延在するように形成されている。下部ダクト４１ｂの前面側には、上面に開口するように開口部が形成され、吸込口１２となっている。吸込口１２は、ケース本体２の開口２ａの左右方向に延在するように形成されている。
【００２９】
背面側ダクト４１ｃは、商品陳列室３より背面側に、上下に延在するように形成されている。背面側ダクト４１ｃの上部は、上部ダクト４１ａと連通され、背面側ダクト４１ｃの下部は、下部ダクト４１ｂと連通されている。背面側ダクト４１ｃ内に、循環ファン４２と、冷却器４３が設置されている。
【００３０】
循環ファン４２は、空気を循環させるものである。この循環ファン４２によって、空気の流れを生じさせ、空気を吹出口１１から吹き出し、吸込口１２から吸入する。冷却器４３は、空気通路４１に設置され、空気通路４１を通る空気を冷却するものである。
【００３１】
このように構成された空気循環手段４においては、循環ファン４２を作動させると、吸込口１２から吸い込まれた空気が、順に下部ダクト４１ｂ、背面側ダクト４１ｃ、上部ダクト４１ａを通り、吹出口１１から吹出される。また、吸込口１２から吸い込まれた空気は、冷却器４３によって、冷却されてから、吹出口１１から冷気として吹き出される。
【００３２】
吹出口１１から吹き出された冷気は、商品載置棚５の一段目のエアカーテンＡを形成する。一段目のエアカーテンＡは、商品載置棚５の一段目のガイド板６にガイドされて、ガイドスリット６１を通り、下段に流れる。そして、このガイドスリット６１を通り下段に流れた空気が、下段のエアカーテンＡを形成する。
【００３３】
また、背面側ダクト４１ｃにおいて冷却された空気は、棚板ダクト５２を通り、棚板側吹出口５３から吹出され、エアカーテンＢを形成する。エアカーテンＢを構成した冷気の一部は、商品載置棚５内側に流れ、商品載置棚５内部を冷却し、一部は、ガイド板６と棚板５１の間を通り、下段に流れる。
【００３４】
商品載置棚５の上から２段目以降の前面には、棚板側吹出口５３から吹き出されて形成されるエアカーテンＢと、ガイドスリット６１を通ってきたエアカーテンＡによって、二重のエアカーテンが形成される。この二重のエアカーテンにより、商品載置棚５の各段が好適に保冷される。
【００３５】
エアカーテンＡの一部が、棚板５１の上面に衝突し、棚板５１の前面側に向かう空気の流れが発生しても、ガイド板６によって、その流れが下方に誘導される。従って、エアカーテンＡを構成していた冷気の一部が、商品陳列室３の前面側の開口２ａから外に漏れ出ることを防止することができる。また、同様に、エアカーテンＢの一部が、棚板５１の上面に衝突し、棚板５１の前面側に向かう流れとなった際にも、ガイド板６によって、この流れが下方に誘導される。従って、冷気漏れを低減でき、商品載置棚５内を確実に保冷することができる。
【００３６】
このように、ガイド板６によってエアカーテンＡの形成を補助しているので、エアカーテンＡが棚板５１の先端部に衝突して発生する冷気漏れによる冷却効率の低下を防止することができ、棚板５１の先端部付近をかすめるようにエアカーテンＡを形成した際に生じる消費電力の増加を抑止することができる。即ち、エアカーテンＡと商品載置棚５の間を狭めても、好適に商品載置棚５内を保冷することができる。即ち、省スペースで商品の収容能力の大きいショーケース１とすることができる。
【００３７】
吹出口１１から吹き出された冷気及び、棚板側吹出口５３から吹き出した冷気は、各棚板５１に対応したガイドスリット６１をそれぞれ通って、エアカーテンＡを形成しつつ、吸込口１２に到達して吸い込まれる。そして、吸い込まれた空気が、冷却され、また吹出口１１から吹き出すという循環が形成される。また、エアカーテンＡの一部は、商品載置棚５内に流れ、商品載置棚５内を冷却する。
【００３８】
尚、棚板ダクト５２は、棚板５１内に配設されているが、棚板５１の下面に配設してもよい。ガイド板６は、ハット型金具７を介して、棚板５１の前面に支持させているが、他の金具を使用してもよいし、また、側板に支持させてもよい。また、本実施の形態においては、ケース本体２は、上部が開放されていないが、ケース本体２の上部を開放してもよい。
【００３９】
上述した実施の形態では、商品載置棚５全体を冷却するコールドショーケースであるが、複数の異なる温度体で商品を収納可能な、例えば、ホットコールドショーケースのようなショーケースであってもよい。
【００４０】
以下、本図６−１に示すような従来の構造のショーケース７１と、図６−２に示す、本発明の構造を有するショーケース７２との商品載置棚を比較した。
【００４１】
ショーケース７１は、商品陳列室３内に複数の棚板７３と棚板５１を上下方向に並べて形成した商品載置棚を有している。棚板５１は、商品載置棚の一番上に設置され、この棚板５１の前面にプライスカード取付用レール７４が設置されている。プライスカード取付用レール７４は、棚板５１の前面に、プライスカード取付用レール７４と棚板５１との間に隙間無く設置されている。
【００４２】
ショーケース７２は、複数の棚板７３と棚板５１を上下方向に並べて形成した商品載置棚を有している。棚板５１は、商品載置棚の一番上に設置され、この棚板５１に本発明の要部であるガイド板６が配置されている。そして、棚板５１と、ガイド板６との間には、スリット状の空間が形成されており、吹出口１１から、吹き出された空気が通るようになっている。
【００４３】
この結果、商品載置棚５の段全般において、本発明における構造の方が、従来の構造よりもよく冷却される。特に、２段目、３段目、４段目における冷却効果は、顕著である。
【００４４】
（変形例）
以上、本発明の好適な実施の形態について説明したが、本発明はこれに限定されず種々の変更を行うことができる。以下に図７を参照しながら変形例について説明する。尚、上述した実施の形態と同一の構成を有するものには同一の符号を付している。
【００４５】
本変形例のショーケース１００は、棚板５１の代わりに、棚板ダクトを有しない棚板５１１を上下方向に並べて商品載置棚１０１を形成している。棚板５１１の前面側にガイド板６をガイドスリット６１を介して配置している。また、本変形例においては、商品陳列室３の背面は、背面板３１１によって構成されている。
【００４６】
また、上述した実施の形態では、棚板ダクト５２を形成し、棚板５１の前面下部から、下方に向けて冷気を吹き出すようにしているが、図７に示すように、商品陳列室３の背面を構成する背面板３１１に貫通開口するように背面側冷気吹出口３１２を形成し、背面側ダクト４１ｃと商品陳列室３とを連通させることにより、棚板５１１の背面側から前面側に向かう冷気の流れを形成するようにしてもよい。この流れは、棚板５１１の前面側においては、当然、ガイド板６によって下方に誘導される。従って、商品載置棚１０１の前面にエアカーテンＣがより確実に形成される。
【００４７】
（変形例２）
次に、図５に示した変形例について説明する。上述した実施の形態と同一の構成を有するものには同一の符号を付す。本変形例のショーケースは、上述の実施の形態１におけるガイド板６とハット型金具７の代わりに取付金具６ａとガード取付金具５５を設けたものである。
【００４８】
本変形例においては、棚板５１の前側に、商品転倒防止ガード５４を保持するために、棚板５１の長手方向に全幅に渡るガード取付金具５５を棚板５１に複数のネジ５５ａによってねじ止めしている。
【００４９】
また、棚板５１の前面側には、プライスカード取付用レール５６を保持するための断面コ字形の取付金具６ａが設置されている。取付金具６ａとガード取付金具５５とは、一定の距離を開けるように配置され、取付金具６ａとガード取付金具５５と間にスリット状の空間であるガイドスリット６１が形成されている。従って、取付金具６ａは、ガイド板としての機能を有する。即ち、取付金具６ａによって、エアカーテンＡをガイドすることができる。
【００５０】
この取付金具６ａは、棚板５１の前面側端面の長手方向に沿って全幅に渡り配置され、その端面を内側に折り曲げ、棚板５１にねじ６ａａによってねじ止めされている。このプライスカード取付用レール５６には、商品の値段などを表示するためのカードであるプライスカード５６ａがレール５６と取付金具６ａとの間に差し込まれて保持され、この表示機能に加え、プライスカード５６ａは、棚板５１の上面より上方側に突出するように配置されているので、ガイド板としての機能を兼ねるものである。
【００５１】
尚、棚板ダクト５２を無くしてエアカーテンＢを無くし、吹出口１１からの空気の流れを各棚のガイドスリット６１をそれぞれ通って、エアカーテンＡのみを形成しつつ、吸込口１２に到達して吸い込まれるようにしてもよい。
【００５２】
（実施の形態２）
次に、本発明にかかる実施の形態２について図８〜図１１に基づいて説明する。上述した実施の形態と同一の構成を有するものには同一の符号を付す。図８は、本実施の形態２のショーケース６０１を示している。ショーケース６０１は、ケース本体２を備えている。ケース本体２は、商品陳列室３と、空気循環手段４とを有する。商品陳列室３の背面は、背面板６０２によって構成され、商品陳列室３の前面は開口２ａとなっている。商品陳列室３内には、商品載置棚１０１が形成されている。
【００５３】
商品載置棚１０１は、商品陳列室３内に複数の棚板５１１を上下方向に並べて形成されている。また、商品載置棚１０１の最下段の棚板は底板３２によって構成している。棚板５１１は、平面視略矩形状に形成されている。
【００５４】
棚板５１１の前面側には、可動式ガイド部材６０３が設置されている。可動式ガイド部材６０３は、一対の錘用アーム６０４と、ガイド板６０５とを有している。一対の錘用アーム６０４は、略棒状に形成され、その一端がガイド板６０５に取り付けられている。また、錘用アーム６０４は、ガイド板６０５の長さ方向の両端部にそれぞれ固定されている。
【００５５】
ガイド板６０５は、略細長矩形板状に形成され、棚板５１１の前面側端面の長手方向に沿って配置されている。即ち、ガイド板６０５は、商品載置棚１０１の左右方向に延設されている。棚板５１１とガイド板６０５は、一定の距離を開けるように配置され、棚板５１１とガイド板６０５との間にスリット状の空間であるガイドスリットが形成されている。また、ガイド板６０５は、棚板５１１の上面より上方側に突出するように配置されている。
【００５６】
ガイド板６０５は、プライスカード取付部６０５ａと、固定部６０５ｂとを有している。プライスカード取付部６０５ａは、略細長板状に形成されている。また、プライスカード取付部６０５ａの前面側が折り曲げられ、商品の値段などを表示するためのカードであるプライスカードを挟持するようになっている。
【００５７】
ガイド板６０５の固定部６０５ｂは、略細長板状に形成されている。固定部６０５ｂの両端部は、Ｌ字状部分６０５ｃが固定部６０５ｂの板状面から突出するように形成されている。Ｌ字状部分６０５ｃは、略矩形板状に形成され、固定部６０５ｂの板状面から突出する突出部分と、その一端から突出し、固定部６０５ｂの板状部分と略平行に配設された略矩形板状の平行部分とから略Ｌ字状に形成されている。そして、Ｌ字状部分６０５ｃの平行部分に錘用アーム６０４が固定されている。固定部６０５ｂの上部には、プライスカード取付部６０５ａが配設されている。そして、固定部６０５ｂとプライスカード取付部６０５ａの板状面が、ガイド板６０５の板状面を構成している。
【００５８】
棚板５１１の先端部には、一対のＬ字金具６０７が取り付けられている。Ｌ字金具６０７は、矩形状の板部材の端部同士を接合した形状に形成されている。Ｌ字金具６０７は、棚板５１１の前面側において、左右方向に所定の間隔をおいて配設されている。そして、このＬ字金具６０７に掛け渡されるように、ガイド板６０５が配設されている。
【００５９】
このＬ字金具６０７は、棚板５１１の先端から突出するように取り付けられている。Ｌ字金具６０７の上面には、板状のガイド板取付片６０８が上方に突出するように配設されている。そして、このガイド板取付片６０８にガイド板６０５が段付ビス６０６によって回転可能に取り付けられている。詳細には、ガイド板６０５のＬ字上部分６０５ｃの突出部分とガイド取付片６０８を貫通するように段付ビス６０６が配設されることにより、ガイド板６０５がガイド板取付片６０８に対して、回転可能に取り付けられている。従って、ガイド板６０５は、棚板５１１に対して、回転可能となっている。
【００６０】
このガイド板６０５によって、棚板５１１の上面を沿って商品載置棚１０１の前面側に向かい、棚板５１１の前面側端部から商品陳列室３外に漏れ出ようとする流れを下方に誘導する。即ち、棚板５１１の前側端部から漏れ出ようとする流れが、ガイド板６０５に衝突し、その棚板５１１より下方に流れるようにガイド板６０５が配置されている。また、このガイド板６０５は、吹出口１１から吹き出す空気の流れを下方に誘導する。即ち、吹出口１１から吹き出す空気の流れが直接ガイド板６０５にあたり、その流れも下方に誘導するようになっている。
【００６１】
吹出口１１から吹き出された冷気は、図８に示すように、商品載置棚１０１の一段目のエアカーテンＣを形成する。一段目のエアカーテンＣは、商品載置棚１０１の一段目のガイド板６０５にガイドされて、ガイド板６０５と棚板５１１の間を通り、下段に流れる。そして、この下段に流れた空気が、下段のエアカーテンＣを形成する。
【００６２】
エアカーテンＣの一部が、棚板５１１の上面に衝突し、棚板５１１の前面側に向かう空気の流れが発生しても、ガイド板６０５によって、その流れが下方に誘導される。従って、エアカーテンＣを構成していた冷気の一部が、商品陳列室３の前面側の開口２ａから外に漏れ出ることを防止することができる。従って、冷気漏れを低減でき、商品載置棚１０１内を確実に保冷することができる。
【００６３】
このように、ガイド板６０５によってエアカーテンＣの形成を補助しているので、エアカーテンＣが棚板５１１の先端部に衝突して発生する冷気漏れによる冷却効率の低下を防止することができ、棚板５１１の先端部付近をかすめるようにエアカーテンＣを形成した際に生じる消費電力の増加を抑止することができる。即ち、エアカーテンＣと商品載置棚１０１の間を狭めても、好適に商品載置棚１０１内を保冷することができる。即ち、省スペースで商品の収容能力の大きいショーケース６０１とすることができる。
【００６４】
吹出口１１から吹き出された冷気は、各段でエアカーテンＣを形成しつつ、吸込口１２に到達して吸い込まれる。そして、吸い込まれた空気が、冷却され、また吹出口１１から吹き出すという循環が形成される。また、エアカーテンＣの一部は、商品載置棚１０１内に流れ、商品載置棚１０１内を冷却する。
【００６５】
通常位置において、錘用アーム６０４は、棚板５１１の上面に載置された状態となっている。商品載置棚１０１に並べられた商品Ｓを取り出す際に、商品Ｓがガイド板６０５に当り、ガイド板６０５の回転方向に力が作用すると、ガイド板６０５が段付ビス６０６の中心軸を回転軸として、開き方向に、即ち商品の取り出し領域を広げる方向に移動した商品取り出し位置へと回転する。従って、ショーケース６０１の庫内から外側へ冷気が漏れることを防止すべくガイド板６０５の上下方向の幅を大きくした際にも、商品Ｓが取り出し易い。また、商品Ｓを取り出した後、ガイド板６０５に作用していた力がなくなると、錘用アーム６０４の重みによって、ガイド板６０５が回転して元の位置に戻るので、通常状態における冷却効果を保つことができる。
【００６６】
このように、ガイド板６０５は、実施の形態１におけるガイド板６と同様の効果を奏するとともに、商品取り出し方向に回転するようになっているので、商品Ｓを容易に取り出すことができる。尚、本実施の形態２においては、錘用アーム６０４はガイド板６０５の両端部に取り付けられているが、棚板５１１に載置される商品Ｓの邪魔にならない位置であれば、ガイド板６０５の両端部でなくてもよい。
【００６７】
また、実施の形態１のショーケース１において、ガイド板６の代わりに、本実施の形態２の可動式ガイド部材６０３を適用してもよい。また、変形例のショーケース１００において、ガイド板６の変わりに本実施の形態２の可動式ガイド部材６０３を適用してもよい。また、本実施の形態２においては、棚板５１１は、水平に設けているが、前面側に向けて下るように傾斜させて設けてもよい。
【００６８】
（実施の形態３）
次に、本発明にかかる実施の形態３について図１２〜図１５に基づいて説明する。上述した実施の形態と同一の構成を有するものには同一の符号を付す。本実施の形態３におけるショーケースは、実施の形態２のショーケース６０１において、可動式ガイド部材６０３の代わりに、ガイド板６２１を設けたものである。ガイド板６２１は、略細長矩形板状に形成され、両端部を一対の腕部材６２２に支持させて、棚板５１１の前面に配設されている。
【００６９】
本実施の形態３において、棚板５１１の前面側先端部には、商品転倒防止用ガード６２３が配設されている。商品転倒防止用ガード６２３は、略細長矩形板状に形成され、棚板５１１の上面に、棚板５１１の前面に沿って配設されている。
【００７０】
ガイド板６２１は、略矩形状に形成され、棚板５１１の前面側端面の長手方向に沿って配置されている。ガイド板６２１の板状面は、棚板５１１の商品転倒防止用ガード６２３の前面側板状面と対向している。棚板５１１とガイド板６２１は、一定の距離を開けるように配置され、棚板５１１とガイド板６２１との間にスリット状の空間であるガイドスリットが形成されている。また、ガイド板６２１は、棚板５１１の上面より上方側に突出するように配置されている。ガイド板６２１は、商品の値段などを表示するためのカードであるプライスカードを設置するためのプライスカード取付用レールを兼ねている。
【００７１】
このガイド板６２１には、両端部に両端部から長さ方向に突出するように一対の回転軸６２１ａが配設されている。ガイド板６２１は、この回転軸６２１ａを中心に回転するようになっている。また、この一対の回転軸６２１ａは、ガイド板６２１の幅方向一方側の端部に配設されている。
【００７２】
腕部材６２２は、略棒状に形成され、一端側が棚板５１１の前面側に固定され、他端が棚板５１１の前側斜め上方に突出するように配設されている。腕部材６２２の他端側には、軸受け孔６２２ａが形成されている。一対の腕部材６２２は、棚板５１１の前面側において、左右方向に所定の間隔をおいて配設されている。そして、腕部材６２２の軸受け孔６２２ａに回転軸６２１を挿入支持させるようにして、一対の腕部材６２２間に、ガイド板６２１が配設されている。
【００７３】
ガイド部材６２１は、実施の形態１におけるガイド板６と同様の効果を奏するとともに、ガイド板６２１が上述のように配設されているので、ガイド板６２１は、自然に、重力方向に向く。従って、図１３に示すように、棚板５１１を傾斜するように配設した際にも、ガイド板６２１が略垂直方向を向くので、的確に、エアカーテン形成を補助することができる。
【００７４】
（変形例）
次に、上述の実施の形態３の変形例について図１６〜図１８に基づいて説明する。上述した実施の形態と同一の構成を有するものには同一の符号を付す。本変形例のショーケースは、上述の実施の形態３におけるガイド板６２１と腕部材６２２と略同形状のガイド板６２４と腕部材６２５を使用し、その取り付け機構である回転軸６２１ａと軸受け孔６２２ａの代わりに、多段階の角度で静止することを可能とするギア機構６２６を適用したものである。
【００７５】
ガイド板６２４は、略細長矩形板状に形成され、棚板５１１の前面側端面の長手方向に沿って配置されている。ガイド板６２４の板状面は、棚板５１１の商品転倒防止用ガード６２３の前面側板状面と対向している。棚板５１１とガイド板６２４は、一定の距離を開けるように配置され、棚板５１１とガイド板６２４との間にスリット状の空間であるガイドスリットが形成されている。また、ガイド板６２４は、棚板５１１の上面より上方側に突出するように配置されている。
【００７６】
ガイド板６２４は、長さ方向両端部をギア機構６２６を介して一対の腕部材６２５に支持させるようにして、棚板５１１の前面側に配設されている。腕部材６２５は、略棒状に形成され、一端側が棚板５１１の前面側に固定され、他端が棚板５１１の前側斜め上方に突出するように配設されている。そして、腕部材６２５の突出方向先端部に、ガイド板６２４がギア機構６２６を介して、回転可能に取り付けられている。
【００７７】
従って、図１６や図１７に示すように、ガイド板６２４を真下方向のみならず、斜め向きとすることができる。即ち、実施の形態３においては、ガイド板６２１は、重力によって、真下方向のみでしか安定しないが、本変形例においては、ギア機構６２６を使用しているので、複数の固定角度から、ガイド板６２４の角度を選択することができる。このようにガイド板６２４の角度をある程度任意に変えることが可能であると、特に、商品載置棚において、複数配設された棚板５１１の配設角度が異なる等、棚板５１１の商品載置棚前面側への突出長さが異なる場合に、エアカーテンを適切に導くことができるので有効である。
【００７８】
（実施の形態４）
次に、本発明にかかる実施の形態４について図１９〜図２１に基づいて説明する。上述した実施の形態と同一の構成を有するものには同一の符号を付す。図１９は、本実施の形態４のショーケース６３１を示している。ショーケース６３１は、ケース本体２を備えている。ケース本体２は、商品陳列室３と、空気循環手段４とを有する。商品陳列室３の背面は、背面板６３２によって構成され、商品陳列室３の前面は開口２ａとなっている。商品陳列室３内には、商品載置棚１０１が形成されている。
【００７９】
背面板６３２には、商品載置棚１０１の前面側に向けて、棚板５１１の下面を沿うように冷気を吹き出す背面側上部冷気吹出し口６３３が形成されている。背面側上部冷気吹出し口６３３は、商品載置棚１０１の各段に設けられている。従って、最上段における背面側上部冷気吹出し口６３３は、天板３１の下面に沿って、商品載置棚１０１の前面側に向かうように冷気を吹き出す。
【００８０】
本実施の形態４においては、棚板５１１及び天板３１の下側面に斜風板６３４を設置している。斜風板６３４は、略細長板状に形成され、棚板５１１及び天板３１の下面から斜め前方に向かって突出するように配設されている。斜風板６３４は、棚板５１１の前面側端面の長手方向に沿って配置されている。また、斜風板６３４は、背面側上部冷気吹出し口６３３から吹き出された棚板５１１の下面を沿い商品載置棚１０１の前面側に向いた冷気の流れを、棚板５１１の一つ下のガイドスリット６１に向けて誘導するように配設されている。
【００８１】
吹出口１１から吹き出された冷気は、商品載置棚５の一段目のエアカーテンＤを形成する。一段目のエアカーテンＤは、商品載置棚５の一段目のガイド板６にガイドされて、ガイドスリット６１を通り、下段に流れる。そして、ガイドスリット６１を通り下段に流れた空気が、下段のエアカーテンＤを形成する。
【００８２】
また、背面側ダクト４１ｃにおいて冷却された空気は、背面側上部冷気吹出し口６３３から吹出され、流れＥを形成する。流れＥは、段内を循環する。また、流れＥの一部は、ガイド板６と棚板５１１の間を通り、下段に流れる。
【００８３】
エアカーテンＤの一部或いは流れＥの一部が、棚板５１１の上面に衝突し、棚板５１の前面側に向かう空気の流れが発生しても、ガイド板６によって、その流れが下方に誘導される。従って、エアカーテンＤ或いは流れＥの一部が、商品陳列室３の前面側の開口２ａから外に漏れ出ることを防止することができる。従って、冷気漏れを低減でき、商品載置棚１０１内を確実に保冷することができる。
【００８４】
このように、ガイド板６によってエアカーテンＤの形成を補助しているので、エアカーテンＤが棚板５１１の先端部に衝突して発生する冷気漏れによる冷却効率の低下を防止することができ、棚板５１１の先端部付近をかすめるようにエアカーテンＤを形成した際に生じる消費電力の増加を抑止することができる。即ち、エアカーテンＤと商品載置棚５の間を狭めても、好適に商品載置棚５内を保冷することができる。即ち、省スペースで商品の収容能力の大きいショーケース６３１とすることができる。
【００８５】
吹出口１１から吹き出された冷気及び、背面側上部冷気吹出し口６３３から吹き出した冷気は、各棚板５１１に対応したガイドスリット６１をそれぞれ通って、エアカーテンＤを形成しつつ、吸込口１２に到達して吸い込まれる。そして、吸い込まれた空気が、冷却され、また吹出口１１から吹き出すという循環が形成される。また、エアカーテンＤの一部は、商品載置棚１０１内に流れ、商品載置棚１０１内を冷却する。
【００８６】
斜風板６３４を設置しない場合、図２１−１に示すように、背面側上部冷気吹出し口６３３より吹き出された冷気は、ガイド板６の上側を通り、外側に流れ出る流れとなる。従って、この流れは、エアカーテンの形成に影響を与える。しかし、図２１−２に示すように、斜風板６３４を設置すると、背面側上部冷気吹出し口６３３より吹き出された冷気は、ガイドスリット６１へと向かう流れとなり、上の段のガイドスリット６１を通ってきた冷気とともに、エアカーテンを形成する。従って、斜風板６３４を設置することにより、効果的にエアカーテンを形成することができる。
【００８７】
（実施の形態５）
次に、本発明にかかる実施の形態５について図２２−１、図２２−２に基づいて説明する。上述した実施の形態と同一の構成を有するものには同一の符号を付す。本実施の形態５におけるショーケースは、実施の形態１における変形例のショーケース１００において、ガイド板６の代わりに、ガイド板６４１を設けたものである。また、本実施の形態５においては、実施の形態３と同様に、棚板５１１の前面側先端部に商品転倒防止用ガード６２３が配設されている。
【００８８】
ガイド板６４１は、略細長矩形板状に形成され、両端部を一対の腕部材６４２に支持させて、棚板５１１の前面に配設されている。ガイド板６４１は、棚板５１１の前面側端面の長手方向に沿って配置されている。ガイド板６４１の板状面は、棚板５１１の商品転倒防止用ガード６２３の前面側板状面と対向している。棚板５１１とガイド板６４１は、一定の距離を開けるように配置され、棚板５１１とガイド板６４１との間にスリット状の空間であるガイドスリットが形成されている。また、ガイド板６４１は、棚板５１１の上面より上方側に突出するように配置されている。
【００８９】
腕部材６４２は略Ｌ字状に形成されている。腕部材６４２は、一対の略矩形の板状部材を端辺部分を回転軸として互いに回転可能に連結した形状に形成されている。また、この腕部材６４２は、Ｌ字状態を保つように図示せぬコイルバネによって付勢されている。腕部材６４２は、一方側の板状部分が、棚板５１１の下面と平行に、棚板５１１に固定されている。そして、腕部６４２の他方側の板状部分が、商品転倒防止用ガード６２３の板状面と平行となっている。この腕部６４２の他方側の板状部分にガイド板６４１が、固定されている。
【００９０】
ガイド板６４１は、棚板５１１上に並べられた商品Ｓを取り出す際に、図２２−２に示すように、商品Ｓがガイド板６４１に当り、ガイド板６４１の回転方向に力が作用すると開き方向、即ち商品の取り出し領域を広げる方向に回転した商品取り出し位置へと回転する。従って、ショーケースの庫内から外側へ冷気が漏れることを防止すべくガイド板６４１の上下方向の幅を大きくした際にも、商品Ｓが取り出し易い。また、商品Ｓを取り出した後、ガイド板６４１に作用していた力がなくなると、腕部材６４２が元の位置に戻るように付勢されているので、ガイド板６４１が回転して元の位置（通常位置）に戻る。従って、冷却効果を保つことができる。
【００９１】
このように、ガイド板６４１は、実施の形態１におけるガイド板６と同様の効果を奏するとともに、商品取り出し方向に回転するようになっているので、商品Ｓを容易に取り出すことができる。尚、腕部材６４２は、１つでもよいし、複数個でもよい。
【００９２】
（変形例１）
次に、本発明にかかる実施の形態５の変形例１について図２３−１、図２３−２に基づいて説明する。上述した実施の形態と同一の構成を有するものには同一の符号を付す。本変形例１は、実施の形態５とは、ガイド板の取り付け方が異なるが基本的には、同様の作用効果を有する。
【００９３】
本変形例１においては、ガイド板６４１の代わりにガイド板６４３を設けている。ガイド板６４３は、略細長矩形板状に形成され、両端部を一対の腕部材６４５に支持させて、棚板５１１の前面に配設されている。ガイド板６４３は、棚板５１１の前面側端面の長手方向に沿って配置されている。ガイド板６４３の板状面は、棚板５１１の商品転倒防止用ガード６２３の前面側板状面と対向している。棚板５１１とガイド板６４３は、一定の距離を開けるように配置され、棚板５１１とガイド板６４３との間にスリット状の空間であるガイドスリットが形成されている。また、ガイド板６４３は、棚板５１１の上面より上方側に突出するように配置されている。
【００９４】
腕部材６４５は、断面略Ｌ字状に形成されている。腕部材６４５は、Ｌ字状の一方側の板状部分が、棚板５１１の下面と平行に、棚板５１１に固定されている。そして、腕部材６４５の他方側の板状部分が、商品転倒防止用ガード６２３の板状面と平行となっている。この腕部材６４５の他方側の板状部分にガイド板６４３が、バネ６４４を介して取り付けられている。ガイド板６４３は、このバネ６４４によって、棚板５１１と平行かつ商品転倒防止用ガード６２３と平行な回転軸を中心として回転可能に取り付けられている。
【００９５】
ガイド板６４３は、通常状態では、図２３−１に示されるように、その板状面が商品転倒防止用ガード６２３と平行となっている。そして、棚板５１１上に並べられた商品Ｓを取り出す際に、商品Ｓがガイド板６４３に当り、ガイド板６４３の回転方向に力が作用すると、図２３−２に示すように、開き方向、即ち商品の取り出し領域を広げる方向に移動した商品取り出し位置へと回転する。従って、ショーケースの庫内から外側へ冷気が漏れることを防止すべくガイド板６４３の上下方向の幅を大きくした際にも、商品Ｓが取り出し易い。また、商品Ｓを取り出した後、ガイド板６４３に作用していた力がなくなると、ガイド板６４３は、バネ６４４によって、元の位置（通常位置）に戻るように付勢されているので、ガイド板６４３が回転して元の位置に戻る。従って、冷却効果を保つことができる。
【００９６】
このように、ガイド板６４３は、実施の形態１におけるガイド板６と同様の効果を奏するとともに、商品取り出し方向に回転するようになっているので、商品Ｓを容易に取り出すことができる。尚、腕部材６４５は、１つでもよいし、複数個でもよい。
【００９７】
（変形例２）
次に、本発明にかかる実施の形態５の変形例２について図２４−１、図２４−２に基づいて説明する。上述した実施の形態と同一の構成を有するものには同一の符号を付す。本変形例２は、実施の形態５とは、ガイド板の取り付け方が異なるが基本的には、同様の作用効果を有する。
【００９８】
本変形例２においては、ガイド板６４１の代わりにゴム製のガイド板６４６を設けている。ガイド板６４６は、略細長矩形板状に形成され、両端部をビス６４７を介して一対の腕部材６４５に支持させて、棚板５１１の前面に配設されている。ガイド板６４６は、棚板５１１の前面側端面の長手方向に沿って配置されている。ガイド板６４６の板状面は、棚板５１１の商品転倒防止用ガード６２３の前面側板状面と対向している。棚板５１１とガイド板６４６は、一定の距離を開けるように配置され、棚板５１１とガイド板６４６との間にスリット状の空間であるガイドスリットが形成されている。また、ガイド板６４６は、棚板５１１の上面より上方側に突出するように配置されている。
【００９９】
ガイド板６４６は、通常状態では、図２４−１に示されるように、その板状面が商品転倒防止用ガード６２３と平行となっている。そして、棚板５１１上に並べられた商品Ｓを取り出す際に、商品Ｓがガイド板６４６に当り、ガイド板６４６の回転方向に力が作用すると、図２４−２に示すように、開き方向即ち商品の取り出し領域を広げる方向に弾性変形する。従って、ショーケースの庫内から外側へ冷気が漏れることを防止すべくガイド板６４６の上下方向の幅を大きくした際にも、商品Ｓが取り出し易い。また、商品Ｓを取り出した後、ガイド板６４６に作用していた力がなくなると、ガイド板６４６は元の形状に戻る。従って、冷却効果を保つことができる。
【０１００】
このように、ガイド板６４６は、実施の形態１におけるガイド板６と同様の効果を奏するとともに、商品取り出し方向に弾性変形するようになっているので、商品Ｓを容易に取り出すことができる。尚、腕部材６４５は、１つでもよいし、複数個でもよい。
【０１０１】
尚、上述の各実施の形態及び変形例において、ガイド板の向きは、そのガイド板の設置されている段の下の段のガイド板と棚板の構成するガイドスリットに空気を誘導する向きに設置するとよい。
【０１０２】
以下、図２５−１に示すような一段目のみにガイド板６４１（フェンス）を設置したショーケース６５１（基本形状）と、図２５−２に示すような五段目とデッキにもガイド板６４１を設置したショーケース６５３（フェンス追加）との商品載置棚を比較した。
【０１０３】
ショーケース６５１は、商品陳列室３内に複数の棚板７３と棚板５１を上下方向に並べて形成した商品載置棚を有している。棚板５１は、商品載置棚の一番上に設置され、この棚板５１の前面に本発明の要部であるガイド板６４１が設置されている。そして、棚板５１と、ガイド板６４１との間には、スリット状の空間が形成されており、吹出口１１から、吹き出された空気が通るようになっている。
【０１０４】
ショーケース６５３は、複数の棚板７３と棚板５１を上下方向に並べて形成した商品載置棚を有している。棚板５１は、商品載置棚の一番上に設置され、この棚板５１にガイド板６４１がショーケース６５１と同様に配置されている。また、ガイド板６４１は、五段目の棚板７３と、商品載置棚の底面を構成する底板６５２とにも同様に配設されている。
【０１０５】
この結果、商品載置棚の段全般において、ショーケース６５３（フェンス追加）のほうがショーケース６５１（基本形状）よりもよく冷却される。また、ガイド板６４１を設置した５段目とデッキにおいて、顕著に温度が低下する。
【０１０６】
（実施の形態６）
次に、本発明にかかる実施の形態６について図２６〜図２７に基づいて説明する。上述した実施の形態と同一の構成を有するものには同一の符号を付す。図２６は、本実施の形態６のショーケース６６１を示している。このショーケース６６１は、実施の形態１におけるショーケース１にカーテン６６２を設置したものである。
【０１０７】
カーテン６６２は、シート状に形成され、ガイド板６の下端部から垂れ下がるように配設されている。カーテン６６２は、ガイド板６にその左右方向に沿って配設されている。即ち、カーテン６６２は、商品載置棚５の左右方向において、ガイド板６の全長に亘って設けられている。カーテン６６２は、柔軟性を有する薄い樹脂性の透明部材から構成されている。カーテン６６２は、ガイド板６に固定される基部６６２ａと、ガイド板６に配設された際に基部６６２ａから垂れ下がる複数の垂下片６６２ｂとから構成されている。
【０１０８】
基部６６２ａは、略長方形のシート状に形成されている。基部６６２ａの一方の長辺側には、垂下片６６２ｂが形成されている。垂下片６６２ｂは、略矩形状に形成され、基部６６２ａの長さ方向に略等間隔に並んで複数配設されている。このように、カーテン６６２は、略長方形状のシート状部材の短手方向に切れ込みを入れた形状に形成されている。カーテン６６２は、基部６６２ａの短手方向一端部が、ガイド板６の前面側下部に固定され、基部６６２ａの短手方向他端部の垂下片６６２ｂが垂れ下がるように配設されている。垂下片６６２ｂは、上下に隣り合う棚板５１，５１間において、上から半分を覆う程度の長さに形成されている。
【０１０９】
このように構成されているショーケース６６１は、空気循環手段４を作動させると、ショーケース６６１の上部に形成された吹出口１１から冷気が吹き出される。この吹き出された冷気は、各棚板５１の前面側に形成されたガイドスリット６１を通り、エアカーテンＡを形成する。本実施の形態６においては、ガイドスリット６１を構成するガイド板６の下部に、ガイド板６を下方に延長するようにカーテン６６２を設置している。従って、ガイド板６にガイドされて形成されたエアカーテンＡは、更にカーテン６６２によって下方へガイドされる。このように、カーテン６６２を設置することによって、より確実にエアカーテンＡを形成することができる。
【０１１０】
また、カーテン６６２は、エアカーテンＡの前面側に形成され、エアカーテンＡが外気と接触する部分の面積を減少させている。従って、外気と接触することによるエアカーテンＡの温度上昇を低減させることができ、ショーケース６６１のより省エネルギーな運転が可能となる。更に、カーテン６６２は、透明な部材によって構成しているので、商品載置棚５の前面側に設置しても、カーテン６６２を通してショーケース６６１内の商品を視認することができる。また、カーテン６６２は、切れ込みをいれた形状に形成されているので、商品載置棚５内に設置された商品をこの切れ込みに手を挿入して取り出すことができる。
【０１１１】
尚、本実施の形態６においては、カーテン６６２の上下方向の長さを上下に隣り合う棚板５１，５１間の半分程度としているが、全面を覆うようにしてもよい。また、本実施の形態６においては、１つのカーテン６６２をガイド板６の左右方向全長に亘って配設しているが、複数のカーテン６６２によって、同様の構成を達成してもよい。また、本実施の形態６においては、垂下片６６２ｂを間隔を開けて配設しているが、この間隔は、切れ目が入っている程度のものでもよい。
【０１１２】
また、本実施の形態６においては、実施の形態１のショーケース１にカーテン６６２を設置しているが、実施の形態２〜４及び各変形例の各ショーケースにカーテン６６２を設置してもよい。詳細には、実施の形態１の変形例においては、ショーケース１００のガイド板６に、本実施の形態６と同様にカーテン６６２を設置すればよい。また、実施の形態２のショーケース６０１においては、本実施の形態６におけるガイド板６の代わりに、ガイド板６０５にその下端部から垂下されるようにカーテン６６２を設置すればよい。実施の形態３のショーケースにおいては、本実施の形態６におけるガイド板６の代わりに、ガイド板６２１にその下端部から垂下されるようにカーテン６６２を設置すればよい。実施の形態３の変形例のショーケースにおいては、本実施の形態６におけるガイド板６の代わりに、ガイド板６２４にその下端部から垂下されるようにカーテン６６２を設置すればよい。
【０１１３】
実施の形態４のショーケース６３１においては、ガイド板６にカーテン６６２を設置すればよい。実施の形態５のショーケースにおいては、本実施の形態６におけるガイド板６の代わりに、ガイド板６４１にその下端部から垂下されるようにカーテン６６２を設置すればよい。実施の形態５の変形例１のショーケースにおいては、本実施の形態６におけるガイド板６の代わりに、ガイド板６４３にその下端部から垂下されるようにカーテン６６２を設置すればよい。実施の形態５の変形例２のショーケースにおいては、本実施の形態６におけるガイド板６の代わりに、ガイド板６４６にその下端部から垂下されるようにカーテン６６２を設置すればよい。
【０１１４】
（実施の形態７）
次に、本発明にかかる実施の形態７について図２８〜図３２に基づいて説明する。上述した実施の形態と同一の構成を有するものには同一の符号を付す。図２８は、本実施の形態７のショーケース７０１を示している。ショーケース７０１は、ケース本体７０２を備えている。ケース本体７０２は、前面に開口７０２ａが形成された断熱筐体である。ケース本体７０２は、商品陳列室７０３と、空気循環手段７０４とを有する。
【０１１５】
商品陳列室７０３は、ケース本体７０２内に画成され、開口７０２ａを通じて外部と連通されている。商品陳列室７０３は、開口７０２ａから商品が出し入れ可能となっている。商品陳列室７０３の天面は天板７３１によって構成され、底面は底板７３２によって構成され、側面は、図示しない側板によって構成されている。商品陳列室７０３の背面は、背面板７３３によって構成され、前面は開口７０２ａとなっている。天板７３１は、底板７３２よりも前後の幅が小さく形成され、開口７０２ａが前後方向に斜めに開口するようになっている。商品陳列室７０３内には、商品載置棚７０５が形成されている。
【０１１６】
商品載置棚７０５は、商品陳列室７０３内に複数の棚板７５１を上下方向に並べて形成されている。また、商品載置棚７０５の最下段の棚板は底板７３２によって構成している。この棚板７５１及び底板７３２上に商品が載置されるようになっている。棚板７５１は、平面視略矩形状に形成されている。棚板７５１の内部には、空間が形成され、棚板ダクト７５２となっている。
【０１１７】
棚板ダクト７５２は、商品載置棚７０５の背面側から同前面側にかけて配設されている。棚板ダクト７５２は、商品載置棚７０５の背面側において、後述する背面側ダクト７４１ｃと連通している。棚板ダクト７５２の先端は、棚板７５１の先端部よりも手前側に配設されている。尚、商品載置棚７０５においては、ユーザが商品を取る側が前面側である。即ち、本実施の形態では、ケース本体７０２の開口７０２ａ側が、商品載置棚７０５の前面側である。
【０１１８】
また、棚板ダクト７５２の前面側先端部は、下方に向けて開口され、棚板側吹出口７５３となっている。棚板側吹出口７５３は、棚板７５１の前面（前側端面）に沿って形成されている。
【０１１９】
棚板７５１の前面側には、ガイド板７０６が設置されている。ガイド板７０６は、棚板７５１の前面側端面の長手方向に沿って配置されている。即ち、ガイド板７０６は、商品載置棚７０５の左右方向に延設されている。ガイド板７０６の板状面は、棚板７５１の前面側端面と対向している。棚板７５１とガイド板７０６は、一定の距離を開けるように配置され、棚板７５１とガイド板７０６との間にスリット状の空間であるガイドスリット７６１が形成されている。また、ガイド板７０６は、棚板７５１の上面より上方側に突出するように配置されている。
【０１２０】
ガイド板７０６は、細長矩形板状に形成され、両端部に回転支持部７０６ａが形成されている。回転支持部７０６ａは、図２９に示すように、略扇形板状に形成され、ガイド板７０６の板状部分から後方に突出するように形成されている。回転支持部７０６ａには、固定用孔７０６ｂが複数形成されている。回転支持部７０６ａは、棚板７５１の前面に配設された腕部材７０７に軸支されている。即ち、ガイド板７０６は、一対の腕部材７０７間に回転可能に支持されて配設されている。
【０１２１】
腕部材７０７は、棚板７５１の前面から突出するように形成されている。腕部材７０７は、突出部７０７ａと固定部７０７ｂと補強部７０７ｃとから構成されている。突出部７０７ａと固定部７０７ｂは、図３１に示すように、板状に形成され、互いの端部が一体となって合わせてＬ字状となっている。補強部７０７ｃは、突出部７０７ａと固定部７０７ｂとにまたがって配設され、突出部７０７ａの強度を補っている。
【０１２２】
固定部７０７ｂは、棚板７５１の前側端面に重ね合わせて、釘状の固定金具７０７ｅによって固定されている。突出部７０７ａは、棚板７５１の前側端面から前方に突出するように配設されている。突出部７０７ａの板状面には、前述したガイド板７０６の固定用孔７０６ｂに嵌合する凸部７０７ｄが形成されている。
【０１２３】
この突出部７０７ａにガイド板７０６の回転支持部７０６ａが軸支されている。詳細には、図３０に示すように、回転支持部７０６ａに形成された貫通孔と、突出部７０７ａに形成された貫通孔に、段付ネジ７０８を貫通させて先端にナット７０９を螺合させて、ガイド板７０６を回転可能に配設している。
【０１２４】
ガイド板７０６は、この段付ネジ７０８を回転軸として回転するようになっている。即ち、ガイド板７０６は、棚板７０６と平行な方向に伸びる回転軸を中心として回転する。換言すると、ガイド板７０６は、棚板７５１とガイド板７０６との交差角度が変わる方向に回転する。ガイド板７０６を回転させた際には、図３１に示すように、ガイド板７０６の回転方向に複数形成されている固定用孔７０６ｂに、凸部を嵌合させることにより、所定の角度でガイド板７０６を固定することができる。即ち、ガイド板７０６の配設角度を図２８に示す状態から図３２に示す状態に変更することができる。
【０１２５】
ガイド板７０６は、棚板７５１の上面を沿って商品載置棚７０５の前面側に向かい、棚板７５１の前面側端部から商品陳列室７０３外に漏れ出ようとする流れを下方に誘導する。即ち、棚板７５１の前側端部から漏れ出ようとする流れが、ガイド板７０６に衝突し、その棚板７５１より下方に流れるようにガイド板７０６が配置されている。
【０１２６】
尚、本実施の形態においては、ガイド板７０６は、商品の値段などを表示するためのカードであるプライスカードを設置するためのプライスカード取付用レールを兼ねている。
【０１２７】
空気循環手段７０４は、空気通路７４１と、循環ファン７４２と、冷却器７４３とを有する。空気循環手段７０４は、エアカーテンＦを形成し、商品陳列室７０３内を冷却するものである。空気通路７４１は、上部ダクト７４１ａと、下部ダクト７４１ｂと、背面側ダクト７４１ｃとを有する。
【０１２８】
上部ダクト７４１ａは、商品陳列室７０３より上側に、商品陳列室７０３の背面側から前面側にかけて延在するように形成されている。上部ダクト７４１ａの前面側において、下面に開口するように開口部が形成され、吹出口７１１となっている。吹出口７１１は、ケース本体７０２における開口７０２ａの左右方向に延在するように形成されている。
【０１２９】
下部ダクト７４１ｂは、商品陳列室７０３より下側に、商品陳列室７０３の背面側から前面側にかけて延在するように形成されている。下部ダクト７４１ｂの前面側先端部は、上方に突出しており、上面から背面にかけて開口するように開口部が形成され、吸込口７１２となっている。吸込口７１２は、ケース本体７０２の開口７０２ａの左右方向に延在するように形成されている。下部ダクト７４１ｂ内に、循環ファン７４２と、冷却器７４３が設置されている。
【０１３０】
背面側ダクト７４１ｃは、商品陳列室７０３より背面側に、上下に延在するように形成されている。背面側ダクト７４１ｃの上部は、上部ダクト７４１ａと連通され、背面側ダクト７４１ｃの下部は、下部ダクト７４１ｂと連通されている。
【０１３１】
循環ファン７４２は、空気を循環させるものである。この循環ファン７４２によって、空気の流れを生じさせ、空気を吹出口７１１から吹き出し、吸込口７１２から吸入する。冷却器７４３は、空気通路７４１に設置され、空気通路７４１を通る空気を冷却するものである。
【０１３２】
このように構成された空気循環手段７０４においては、循環ファン７４２を作動させると、吸込口７１２から吸い込まれた空気が、順に下部ダクト７４１ｂ、背面側ダクト７４１ｃ、上部ダクト７４１ａを通り、吹出口７１１から吹出される。また、吸込口７１２から吸い込まれた空気は、冷却器７４３によって、冷却されてから、吹出口７１１から冷気として吹き出される。
【０１３３】
吹出口７１１から吹き出された冷気は、商品載置棚７０５の前面を覆うエアカーテンＦを形成する。また、ガイド板７０６の前面側を通る流れＧも形成される。更に、ガイドスリット７６１を通るエアカーテンＨが形成される。
【０１３４】
また、背面側ダクト７４１ｃにおいて冷却された空気は、棚板ダクト７５２を通り、棚板側吹出口７５３から吹出され、流れＩとなる。流れＩを構成した冷気の一部は、商品載置棚７０５内側に流れ、商品載置棚７０５内部を冷却し、一部は、ガイド板７０６と棚板７５１の間を通り、下段に流れる。
【０１３５】
流れＩが棚板７５１の上面に衝突し、棚板７５１の前面側に向かう空気の流れが発生しても、ガイド板７０６によって、その流れが下方に誘導される。従って、エアカーテンＦが乱されることを防止することができる。また、冷気の一部が、商品陳列室７０３の前面側の開口７０２ａから外に漏れ出ることを防止することができる。また、同様に、エアカーテンＨの一部が、棚板７５１の上面に衝突し、棚板７５１の前面側に向かう流れとなった際にも、ガイド板７０６によって、この流れが下方に誘導される。従って、冷気漏れを低減でき、商品載置棚７０５内を確実に保冷することができる。このように、ガイド板７０６によって、棚板７５１の前面側に向かう空気の流れが、エアカーテンＦを乱すことを防止することができる。
【０１３６】
吹出口７１１から吹き出された冷気及び、棚板側吹出口７５３から吹き出した冷気は、各棚板７５１に対応したガイドスリット７６１をそれぞれ通って、エアカーテンＨを形成しつつ、吸込口７１２に到達して吸い込まれる。そして、吸い込まれた空気が、冷却され、また吹出口７１１から吹き出すという循環が形成される。また、エアカーテンＨの一部は、商品載置棚７０５内に流れ、商品載置棚７０５内を冷却する。
【０１３７】
本実施の形態７におけるショーケース７０１においては、複数の固定角度から、ガイド板７０６の角度を選択することができる。このようにガイド板７０６の角度をある程度任意に変えることが可能であると、特に、商品載置棚において、複数配設された棚板７５１の配設角度が異なる等、棚板７５１の商品載置棚前面側への突出長さが異なる場合に、ガイドスリット７６１を通って下方に流れる流れを適切に導くことができる。即ち、下段のガイドスリット７６１に向かう方向に誘導することができ、流れを滑らかにすることができる。
【符号の説明】
【０１３８】
Ａ  エアカーテン
１  ショーケース
２  ケース本体
３  商品陳列室
４  空気循環手段
５  商品載置棚
６  ガイド板
１１  吹出口
１２  吸込口
５１  棚板
【図１】
0005526828.tif 000002
【図２−１】
0005526828.tif 000003
【図２−２】
0005526828.tif 000004
【図３】
0005526828.tif 000005
【図４】
0005526828.tif 000006
【図５】
0005526828.tif 000007
【図６−１】
0005526828.tif 000008
【図６−２】
0005526828.tif 000009
【図７】
0005526828.tif 000010
【図８】
0005526828.tif 000011
【図９】
0005526828.tif 000012
【図１０】
0005526828.tif 000013
【図１１】
0005526828.tif 000014
【図１２】
0005526828.tif 000015
【図１３】
0005526828.tif 000016
【図１４】
0005526828.tif 000017
【図１５】
0005526828.tif 000018
【図１６】
0005526828.tif 000019
【図１７】
0005526828.tif 000020
【図１８】
0005526828.tif 000021
【図１９】
0005526828.tif 000022
【図２０】
0005526828.tif 000023
【図２１−１】
0005526828.tif 000024
【図２１−２】
0005526828.tif 000025
【図２２−１】
0005526828.tif 000026
【図２２−２】
0005526828.tif 000027
【図２３−１】
0005526828.tif 000028
【図２３−２】
0005526828.tif 000029
【図２４−１】
0005526828.tif 000030
【図２４−２】
0005526828.tif 000031
【図２５−１】
0005526828.tif 000032
【図２５−２】
0005526828.tif 000033
【図２６】
0005526828.tif 000034
【図２７】
0005526828.tif 000035
【図２８】
0005526828.tif 000036
【図２９】
0005526828.tif 000037
【図３０】
0005526828.tif 000038
【図３１】
0005526828.tif 000039
【図３２】
0005526828.tif 000040